(57)【要約】      （修正有）【課題】収納ポケットの着脱および位置の変更が容易となる収納具を提供する。【解決手段】収納物品のために吊り下げ構造とし網目状の取り付け基本台座２ａと爪状の引っ掛けフック３ａ、３ｂ、３ｅ、３ｆを備えた収納ポケット７ａ、７ｂからなる。収納ポケット７ａ、７ｂに於いて下方より上方の側面の幅を大きくし、前面方向に傾斜を確保できるようにした。収納ポケット７ａ、７ｂの内側は爪状の引っ掛けフック３ａ、３ｂ、３ｅ、３ｆと収納物品を挿入する挿入口８ａと挿入した物品を支えるピンを備えた底部を有する。収納物品の数が増えた場合は取り付け追加台座の裏側上方に備えた爪状の引っ掛けフックを取り付け基本台座２ａの編目に差し込み引っ掛けて収納を増やせるようにした。【選択図】図５
0003216828.tif 000002
【実用新案登録請求の範囲】
【請求項１】
本考案は収納物品(請求書、葉書、手紙などの書類)のために吊り下げ構造とし網目状の取り付け基本台座図１(２a)と爪状の引っ掛けフック(３a)、(３b)、(３c)、(３d)を備えた収納ポケット図２(７a)からなる収納具
【請求項２】
収納ポケット図２(７a)に於いて下方より上方の側面の幅を大きくし、前面方向に傾斜を確保できるようにしたことを特徴とする請求項１記載の収納具
【請求項３】
収納ポケットの内側図２(７a)は爪状の引っ掛けフック(３a)、(３b)、(３c)、(３d)と収納物品を挿入する挿入口(８a)と挿入した物品を支えるピン(４a)、(４b)を備えた底部(５a)を特徴とする請求権１項又は２項記載の収納具    
【請求項４】
取り付け基本台座図１(２a)に取り付けたポケット図２(７a)の外側の網目に爪状の引っ掛けフック(３a)、(３b)、(３c)、（３d）を備えた他の収納ポケット図６(７b)、(７c)などを二重に三重に重ねながら親が子を背負うように取り付けることを特徴とする請求権項１又は２項又は３項に記載の収納具
【請求項５】
収納物品(請求書、葉書、手紙などの書類)の数が増えた場合は取り付け追加台座図７(６a)の裏側上方(６b)、(６c)、(６d)に備えた爪状の引っ掛けフック図８(６b〜６d)を取り付け基本台座図1(２a)の網目に差し込み引っ掛けて収納を増やせるようにしたことを特徴とする請求項１又は２項又は３項又は４項に記載の収納具
【考案の詳細な説明】
【技術分野】
【０００１】
本考案は収納物品(請求書、葉書、手紙などの書類)を机や棚に積み重ねることを避けて整頓することを目的とした収納具に関するものである。    
【背景技術】
【０００２】
従来の収納ポケットは四方両端部分が取り付け台座にボルトやナットで固定され取り付けられている。
【先行技術文献】
【特許文献】
【０００３】
【特許文献１】実願平７-４０４８  「吊り下げ収納具」
【考案の概要】
【考案が解決しようとする課題】
【０００４】
特許文献１では収納ポケットの四方両端部分が取り付け台座にボルトとナットで固定されており収納ポケットの着脱や取り付け位置の移動が不便である。
【課題を解決するための手段】
【０００５】
本考案は収納ポケット図２(７a)とそれを取り付け基本台座図１(２a)を網目状とし、且つ、収納ポケット図２(７a)を取り付け台座に固定する四方両端部分図２(３a)、(３b)、(３c)、(３d)に爪状の取り付けフックを備えることで従来の問題点を解決する。
【考案の効果】
【０００６】
上述の様に本考案の自在着脱が可能な収納具は取り付け基本台座図１(２a)と収納ポケット図２(７a)を網目状にして、更に収納ポケットの四方両端部分(３a)、(３b)、(３c)、(３d)に爪状の引っ掛けフックを備えており収納ポケットの着脱および位置の変更が容易となる効果がある。                                                                 
【０００７】
収納ポケット図2(７a)に於いて下方より上方の側面の幅を大きくし、全面方向に傾斜を確保できるようにしたことでより多くの収納スペイスを確保できる効果がある。
【０００８】
収納ポケット図2(７a)の四方両端部分(３a)、(３b)、(３c)、(３d)に爪状の引っ掛けフックと収納物品を挿入する挿入口(８a)と挿入した物品を支えるピン(４a)、4b)を備える底辺(５a)は収納容積を拡張する効果がある。    
【０００９】
基本台座図１(２a)に一旦取り付けた収納ポケット図２(７a)の外側に爪状の引っ掛けフックを備えた他のポケット図６(７b)、(７c)を重ねて二重に、三重に重ねて親が子を背負うように取り付けて収納スペイスを増やすことが可能となる。且つ、時折り収納ポケットの配置も簡単に着脱し位置を移動させて収納を楽しめる効果を持つ収納具である。                            
【００１０】
収納物品(請求書、葉書、手紙などの書類)の数が増えた場合には取り付け追加台座図７(６a)の裏側上方に備えた爪状の引っ掛けフック(６b)、(６c)、(６d)を取り付け台座図1(２a)の網目に差し込み引っ掛けて真下に連結し吊り下げながら収納スペイスの補充と収納ポケットの数の増減が調節できる効果がある。    
【図面の簡単な説明】
【００１１】
【図１】本考案に係る基本取り付け台座の正面図である
【図２】本考案に係る収納ポケットの詳細構造を示す内側図である
【図３】本考案に係る収納具の取り付け実施例の正面図である
【図４】本考案に係る収納具の取り付け実施例の側面図である
【図５】本考案に係る収納ポケットを重ねる形状の斜視図である
【図６】本考案に係る複数の収納具の取り付け実施例の側面図である
【図７】本考案に係る追加取り付け台座の正面図である
【図８】本考案に係る追加取り付け台座の側面図である
【考案を実施するための形態】
【００１２】
本考案の収納具の構成要素である取り付け基本台座(２a)と収納ポケット(７a)を図１及び図２に示し基本携帯について説明する。取り付け台座図１(２a)と収納ポケット図２(７a)を組み合わせた正面図を図３に、側面図を図４に示す。
【実施例】
【００１３】
本考案は取り付け基本台座図１(２a)や取り付け追加台座図７(６a)と収納ポケット図２(７a)を網目状にし、且つ、収納ポケット図２(７a)の四方両端部分(３a)、(３b)、(３c)、(３d)に備えた爪状の引っ掛けフックを取り付け基本台座図１(２a)の網目に差し込み引っ掛け固定するので自在に収納ポケットの着脱が可能となり、一旦取り付けたポケットの位置を移動させて収納を楽しむことができる。  
【００１４】
収納物品(請求書、葉書、手紙などの書類)が増えた場合には取り付け追加台座図７(６a)の裏側の上方(６b)、(６c)、(６d)に備えた爪状の引っ掛けフック図８(６b〜６d)を基本台座図１(２a)の網目に差し込み引っ掛けて収納スペイスの補充やその増減が簡単に調節できる。
【００１５】
図１から図８に示した収納具はハート型形状等への応用が可能であり、室内のインテリア装飾に貢献し雰囲気を柔らげる効果がある。
【符号の説明】
【００１６】
１a：吊り下げ穴
２a：取り付け基本台座
３a、３b、３c、３d：爪状引っ掛けフック
３e、３f、３i、３j：爪状引っ掛けフック
４a、４b：収納物品支えピン
５a：収納物品支え底辺
６a：取り付け追加台座
６b、６c、６d：爪状引っ掛けフック
７a、７b、７c：収納ポケット
8 a、8b、8c：収納物品の挿入口
【図１】
0003216828.tif 000003
【図２】
0003216828.tif 000004
【図３】
0003216828.tif 000005
【図４】
0003216828.tif 000006
【図５】
0003216828.tif 000007
【図６】
0003216828.tif 000008
【図７】
0003216828.tif 000009
【図８】
0003216828.tif 000010
【手続補正書】
【提出日】平成30年4月17日(2018.4.17)
【手続補正１】
【補正対象書類名】実用新案登録請求の範囲
【補正対象項目名】全文
【補正方法】変更
【補正の内容】
【実用新案登録請求の範囲】
【請求項１】
収納物品のために吊り下げ構造とし網目状の取り付け基本台帳（２a）と爪状の引っ掛けフック（３a）、(３ｂ)、（３ｃ）、（３ｄ）を備えた収納ポケット（７ａ）からなる収納具。
【請求項２】
収納ポケット（７a）に於いて下方より上方の側面の幅を大きくし、前面方向に傾斜を確保できるようにしたことを特徴とする請求項１記載の収納具。
【請求項３】
収納ポケット（７a）の内側は爪状の引っ掛けフック（３a）、(３ｂ)、（３ｃ）、（３ｄ）と収納物品を挿入する挿入口（８a）と挿入した物品を支えるピン（４a）、(４ｂ)を備えた底部（５a）を有することを特徴とする請求項１又は２記載の収納具。
【請求項４】
取り付け基本台座（２a）に取り付けたポケット（７ａ）の外側の網目に爪状の引っ掛けフック（３a）、(３ｂ)、（３ｃ）、（３ｄ）を備えた他の収納ポケット（７ｂ）、（７c）を二重に三重に重ねながら親が子を背負うように取り付けることを特徴とする請求項１又は２又は３に記載の収納具。
【請求項５】
収納物品の数が増えた場合は取り付け追加台座（６a）の裏側上方（６b）、（６ｃ）、（６ｄ）に備えた爪状の引っ掛けフック（６ｂ〜６ｄ）を取り付け基本台座（２a）の編目に差し込み引っ掛けて収納を増やせるようにしたことを特徴とする請求項１または２又は３又は４に記載の収納具。